(57)【要約】表示装置スクリーン（２）のマット表面（７）は、例えば、マット表面（７）の屈折指標に等しい屈折指標を有するエポキシ樹脂コーティング（１０）または類似のものを介して、光学的に平坦な表面（１１）に変換される。これに替えて、マット表面（７）は、スクリーン（２）から取り除かれ、光学的に滑らかな表面と置き換えられてもよい。マット表面は、ＬＣＤスクリーン（２）の二重屈折フィルム（６）に形成された拡散表面（７）である。表示装置スクリーン（２）は、層をなしたスクリーン（２、３）を備えたマルチレベルの三次元表示装置の前部スクリーンであり、また、表面をマットから平坦に替えることは表示されたイメージの不鮮明さを減少する。
2004514165.tif 000002
【特許請求の範囲】
【請求項１】
２つまたはそれ以上の光学的重なりスクリーンを有して構成されたマルチフォーカルプレーン表示装置の前部スクリーンのマット表面を交換する方法であって、光学的に滑らかな表面を有する前部スクリーンを提供するためにマット表面を変更するステップを備えたことを特徴とする方法。
【請求項２】
前記スクリーンの少なくとも１つは、ＬＣＤスクリーンである請求項１記載の方法。
【請求項３】
マット表面は、偏向器フィルムに形成されている請求項１記載の方法。
【請求項４】
偏向フィルムは、偏向層を包み込む保護透明層から形成されている請求項３記載の方法。
【請求項５】
光学的に滑らかな表面を有する前部スクリーンを提供するためにマット表面を変更するステップは、少なくとも部分的に透明コーティングをマット表面に施すことを含んだ請求項１記載の方法。
【請求項６】
コーティングは、流動可能な物質として施され、ついで光学的に平坦な外表面を形成するために硬化される請求項５記載の方法。
【請求項７】
コーティングは、マット表面が有する材料と実質的に同一の屈折指標を有する材料である請求項５記載の方法。
【請求項８】
コーティングは、実質的に光学的に平坦な外表面を形成するために十分な厚さになるように、マット表面のあらゆる光学的不規則性、ゆがみ、突出、または不連続な上部、周り、および／または、内部を流れる請求項５記載の方法。
【請求項９】
コーティングは、塗装、噴霧、スパッタリング、蒸着、スラリーコーティング、化学沈着、スクリーン印刷、あるいはローラーコーティングを含むグループから選択された技術によって施される請求項５記載の方法。
【請求項１０】
光学的に滑らかな表面を有する前部スクリーンを提供するためにマット表面を変更するステップは、フィルムとマット表面との間に透明接着剤を介挿することによって、マット表面に光学的に滑らかな透明フィルムを取着することを含む請求項１記載の方法。
【請求項１１】
接着剤は、最初にフィルムの下方の表面に施される請求項１０記載の方法。
【請求項１２】
接着剤は、フィルムから独立してマット表面に施される請求項１０記載の方法。
【請求項１３】
前記接着剤とフィルムとは、マット表面が有する材料と実質的に同一の屈折指標を有する材料である請求項１０記載の方法。
【請求項１４】
接着剤は、実質的に光学的に平坦な外表面を形成するために十分な厚さになるように、マット表面のあらゆる光学的不規則性、ゆがみ、突出、またはまたは不連続な上部、周り、および／または、内部を流れることが可能である請求項１０記載の方法。
【請求項１５】
光学的に滑らかな表面を有する前部スクリーンを提供するためにマット表面を変更するステップは、マット表面を有する材料を取り除き、光学的に滑らかな表面を有する材料と置き換えることを含む請求項１記載の方法。
【請求項１６】
上記請求項のいずれか１項によって製造された表示装置。
【請求項１７】
いずれかの図面に示されたものに関連して実質的に述べられたような方法。
【請求項１８】
いずれかの図面に示されたものに関連して実質的に述べられたような表示装置。
【発明の詳細な説明】
【０００１】
技術分野
本発明は、改良された鑑賞技術（ｖｉｅｗｉｎｇ ｔｅｃｈｎｏｌｏｇｙ）に関する。
【０００２】
特に本発明は、出願人の継続中の出願であるＰＣＴ／ＮＺ００９８／０００９８およびＰＣＴ／００９９／０００２１において述べられているような三次元表示装置技術に関連して議論される。しかしながら、本発明の本質はこの使用に限定されるべきものではなくどこにでも適用できるものであり、特に、観察者がスクリーンまたは類似ものを通して背景にある他のイメージを見る表示装置技術に適用できる。
参照は、上述した特許出願に開示されたような技術に関連して本発明を使用するためになされる。
【０００３】
背景技術
出願人は、以前三次元表示装置技術を開発した。この技術は、好ましい実施例において、互いに平行であるが互いに離間した２つまたはそれ以上の重なり合った（ｏｖｅｒｌａｐｐｉｎｇ）液晶（ＬＣＤ）スクリーンを使用する。深さ（ｄｅｐｔｈ）の現実的な描写（ｐｏｒｔｒａｙａｌ）の観点における三次元表示装置のより明らかな利点に加えて、出願人の表示装置技術は、予知的（ｐｒｅａｔｔｅｎｔｉｖｅ）情報処理の観点から付加的な潜在的利点を提供する。
予知的処理の用語は、観察者の意識的自覚（ｃｏｎｓｃｉｏｕｓ ａｗａｒｅｎｅｓｓ）の集中（ｆｏｃｕｓ）にならない視覚情報の分析と処理における潜在的意識（ｓｕｂｃｏｎｓｃｉｏｕｓ ｍｉｎｄ）の動作を表わすために造られてきた。
【０００４】
多くの視覚的要素を観察した場合、要素の視覚的特徴におけるある変化または特性は、予知的処理によって迅速な検知に導くことができる。これは、そのような特性の存在を精査するのに、使用者に各要素を個々に操作することを要求するよりも極めて速い。どの特性が予知的処理に厳密に力を貸すのかが、それ自身実質的研究の目的である。色、形状、三次元的視覚の端緒（ｃｌｕｅ）、方向付け、移動、および深さは、有効な予知的処理を引き起こす関連した視覚的態様を認識するために全て調査されてきた。
【０００５】
トリースマン（Ｔｒｉｅｓｍａｎ）［１９８５］は、予知的特徴を分類することを試みる目標（ｔａｒｇｅｔ）および境界検知を使用する実験を行なった。予知的目標検知は、目標要素が背景の選択肢（ｄｉｓｔｒａｃｔｏｒ）要素の領域内に存在するか存在しないかを決定することによって試験された。境界検知は、選択肢内の独特の視覚的特徴のセット（ｓｅｔ）を有する目標要素のグループから形成された境界を検知することを試みることを意味している。例えば、沢山の青い円に混じった赤い円は直ちに区別可能なセットであることは容易に視覚化できる。同等に、セットが沢山の四角形形状の選択肢に混じっている場合の円は容易に検知可能である。予知（ｐｒｅａｔｔｅｎｔｉｖｅｎｅｓｓ）の試験のために、示されたような選択肢の数は変更され、また、目標を識別するために必要な時間が選択肢の数に無関係に残っている場合、調査は予知的であるといえる。同様の調査時間制限は、予知的として境界検知調査を分類するために使用される。
【０００６】
予知を分類するために使用された広く行き渡ったしきい値時間（ｔｈｒｅｓｈｏｌｄ ｔｉｍｅ）は、２００〜２５０ミリ秒であって、これは、シーン（ｓｃｅｎｅ）での単一の「観察（ｌｏｏｋ）」用の使用者の機会のみを可能にする。この期間（ｔｉｍｅｆｒａｍｅ）は、人間にとって、シーンの異なった部分を観察するのを意識的に決定するためには不十分である。上述したような調査課題（ｔａｓｋ）は、２００ミリ秒より短い時間で達成されるので、表示装置の情報が予知的ではなく並列に、または予知的に処理されていることを示唆する。
【０００７】
しかしながら、目標が独特の態様の連合（ｃｏｎｊｕｎｃｔｉｏｎ）すなわち結合（ｃｏｎｊｏｉｎ）調査からなる場合、研究は、これらが余地的に検知されないことを示している。上記の例を使用して、目標が例えば、青い円および赤い四角形を含む選択肢内の赤い円のセットからなる場合、すべての選択肢が目標の２つの独特の態様の１つを含んでいるので、赤い円を予知的に検知することはできない。
【０００８】
上記例は比較的簡単な視覚シーンに基づいているけれども、エンス（Ｅｎｎｓ）およびレンシンク（Ｒｅｎｓｉｎｋ）［１９９０］は、三次元対象物（ｏｂｊｅｃｔ）である外観を与えられた目標は、同様に予知的に検知できることを確認した。このように、例えば、上方からの照明を示すために影を付けられた立方体の斜視図によって表現された目標は、異なった方向からの照明を意味するために影を付けられた複数の選択肢立方体の中で予知的に検知可能である。これは、認識された三次元性の比較的複雑で高いレベルのコンセプトは、潜在意識感覚によって予知的に処理されるという重要な原理を示している。
【０００９】
これに比較して、上記で述べた立方体の構成要素が明白な三次元性を取り除くために再方位付けされた場合、対象物は、例えば逆にされた目標を予知的に検知できない。ブラウン（Ｂｒｏｗｎ）等［１９９２］によるさらなる実験は、これが予知的に検知された三次元的方位特徴であることを確認した。中山（Ｎａｋａｙａｍａ）およびシルバーマン（Ｓｉｌｖｅｒｍａｎ）［１９８６］は、運動（ｍｏｔｉｏｎ）と深さとは予知的特徴であり、またさらに、立体的な深さは結合の影響を克服するために使用できることを示した。これは、高いレベルの情報が、使用者の低いレベルの視覚システムによって概念的に処理されようとしていることの示唆において、エンスレンスキンによって補強された。深さの影響を試験するために、対象物は、選択肢に関する異なった両眼の食い違い（ｂｉｎｏｃｕｌａｒ ｄｉｓｐａｒｉｔｙ）の検知目標を課される。その結果、選択肢の数の増加に無関係に、一定の応答時間が示された。
【００１０】
これらの実験は、結合課題（ｃｏｎｊｏｉｎ ｔａｓｋ）によってフォローされ、それによって、青の選択肢が前平面に置かれるのに対して、赤の選択肢が後平面に置かれ、また、立体（ｓｔｅｒｅｏ）カラー（ＳＣ）結合試験用に、目標は前平面の赤か、または後平面の青のいずれかであって、立体と運動（ｓｔｅｒｅｏ ａｎｄ ｍｏｔｉｏｎ）（ＳＭ）トライアル（ｔｒｉａｌ）が、下降する前平面または上昇する後平面の目標とともに、上昇する前平面または下降する後平面の選択肢に使用された。
【００１１】
ＳＣおよびＳＭトライアル用に示された応答時間の結果は、選択肢の数に無関係に一定であり、２５０ミリ秒のしきい値以下であった。トライアルは、目標がすべての選択肢用の独特の態様を所有していないので、結合に含まれた。しかしながら、観察者は、今度は（ｉｎ ｔｕｒｎ）他の平面の選択肢からの干渉なしで、各平面を予知的に調査することができるように見えた。
【００１２】
この研究は、メルトン（Ｍｅｌｔｏｎ）およびシャーフ（Ｓｃｈａｒｆｆ）［１９９８］によってさらに補強され、大きい選択肢と小さい選択肢との間の中間サイズの目標の配置からなる研究課題は、研究の連続的性質が試験され、それによって目標が選択肢と研究の予知的性質として同一面に埋め込まれていて、それによって目標が選択肢の個別の深さの平面に配置された。
【００１３】
存在する選択肢の全体数（それらの深さに無関係に）に対する目標の深さ平面に単に存在する目標の数の相対的影響は、同様に調査される。結果は、目標の存在または不存在に基づく応答時間の重要な変更を含む興味ある態様を示した。目標不存在トライアルにおいて、全ての対象物の反応時間は選択肢の数に直接対応して表わしたのに対して、目標存在トライアルにおいて、そのような依存性を全く表わさなかった。さらに、選択肢が複数の深さを横切って広げられている場合、反応時間は単一の深さ平面に配置されている選択肢よりも速いことが分かった。
【００１４】
したがって、表示情報の意味として複数の深さ／集中（ｆｏｃｕｓ）平面の使用は、高められた反応／同化（ａｓｓｉｍｉｌａｔｉｏｎ）時間を有して予知的処理を促進できる。同様の占有的使用に限定されるのではないが、ＬＣＤスクリーンは、出願人の表示装置技術とともに使用するのに特に適している。この分野でよく知られているように、ＬＣＤスクリーンは典型的には、液晶層の両側に交差された偏向器（ｐｏｌａｒｉｓｅｒ）とともに構成されている。この構成は、それゆえ、同等な変更軸を有して配置された２つまたはそれ以上の連続したＬＣＤスクリーンを通過する光の通過を阻止する。
【００１５】
この問題を処理する１つの手段において、出願人は、隣接するＬＣＤスクリーン間に二重屈折（ｂｉ−ｒｅｆｒｉｎｇｅｎｔ）フィルムを置く。このフィルムは、前部ＬＣＤスクリーンを通って通過する前に、直線状の偏向から長円形の偏向に、後部ＬＣＤスクリーンからくる光の偏向を変化させる。これは、直交する偏向器が打ち克つように、観察者が、前部スクリーンを通して後部ＬＣＤスクリーンに表示されたイメージを見るのを可能にする。
【００１６】
しかしながら、この余分の要素の導入によりさらなる問題が生ずる。二重屈折フィルムは、その変化がわずかにマイクロメータの範囲であるけれども均一な厚さを有していない。したがって、二重屈折フィルムを通過した伝達の後、「通常の（ｎｏｒｍａｌ）」白色光を備えたような付随的光の異なった波長は、異なった軸線比、および／または、傾斜角度の変更長円体の結果となる。したがって、異なった波長の光の変化する量は、前部ＬＣＤの偏向器を通って通過し、使用者は色の帯（ｂａｎｄ）を見るであろう。
【００１７】
一方のＬＣＤスクリーンを通して他方のＬＣＤスクリーンを観察する他の問題は、電子的トレサリー（ｔｒａｃｅｒｙ）パターンの観察者の直感がＬＣＤスクリーンの各ピクセルを処理するのに使用されるということである。前部スクリーンのトレサリーと重ね合わされた後部スクリーンのトレサリーを観察する組み合わせは、観察者にとって非常に顕著で望ましくないモアレ干渉（ｍｏｉｒｅ ｉｎｔｅｒｆｅｒｅｎｃｅ）パターンを生ずる。
【００１８】
上述した問題を処理するために、出願人は、フィルムの一方の側にマット表面（ｍａｔｔ ｓｕｒｆａｃｅ）をエッチィングすることによって、光学的拡散特性を有する二重屈折フィルムを形成した。これは、視覚的色変則と、観察者の後部スクリーンのトレサリーの直感とを矯正する。このように、この技術への拡散要素の導入は、光学的に使用可能なマルチＬＣＤスクリーン表示装置の製造においてきわめて重要な役割を演ずることが分かる。
【００１９】
拡散二重屈折要素は、観察者に光の最大の拡散を提供し、それによってより広い観察角度を提供するために、後部スクリーンに近接して配置されることが重要である。
二重屈折フィルムの拡散特性の必要な影響は、後部ＬＣＤスクリーンのイメージのわずかな不鮮明さ（ｂｌｕｒ）である。拡散の最適レベルは、モアレ干渉パターンの出現を見えなくするか大きくしないようにする最小の量である。さらなる拡散または不鮮明さは、後部スクリーンのイメージおよびそれゆえ組み合わされたマルチスクリーン表示装置システムの感知された品質にとって、必要でないばかりでなく有害である。
【００２０】
後部スクリーンの不鮮明さは、ＬＣＤ製造者が、現在彼らのスクリーンを製造している方法によって合成される。現在のところ、ほとんど全てのＬＣＤ製造者は、一方の側または両側にマット表面を有したスクリーンを製造する。このマット表面は、ＬＣＤスクリーンの前部を反射する光をランダムに散乱することによってＬＣＤ上のグレア（ｇｌａｒｅ）を減少するために企図されているので、鏡面タイプの反射されたイメージは、観察者によって知覚されない。このマット表面はまた、スクリーンの通常のバックライト源を拡散するのを補助するために、ＬＣＤの後表面にある。
【００２１】
不幸にも、これはまた、前部、および／または、後部表面に適用されたマット仕上げを有するこの標準ＬＣＤスクリーンが上述したような出願人の技術とともに使用された場合、後部スクリーンによって放射されている光の拡散を増加する。これは、不必要で不鮮明な後部イメージの結果となり、それによって、三次元表示装置の有用性が制限される。
上述した問題を処理すること、または、少なくとも公衆に有用な選択を提供することが本発明の目的である。
本発明のさらなる態様および利点は、例示のみの方法によって与えられた次の記述から明らかになる。
【００２２】
発明の開示
本発明の１つの態様によれば、２つまたはそれ以上の光学的重なりスクリーンを有して構成されたマルチフォーカルプレーン表示装置の前部スクリーンのマット表面を交換する方法であって、光学的に滑らかな表面を有する前部スクリーンを提供するためにマット表面を変更するステップを備えたこと特徴とする方法が提供される。
このスクリーンは、公知の表示装置技術において使用されているどのようなタイプのスクリーンでもよく、例えば、陰極線技術を使用したガラスまたはプラスチックなどのようなものである。この明細書を通してＬＣＤ（液晶）としてのスクリーンの参照は、純粋に例示であって、どのような方法においても限定するものではない。
【００２３】
ここで使用される「マット表面（ｍａｔｔ ｓｕｒｆａｃｅ）」の用語は、光学的に滑らかなまたは光沢のある表面よりもより大きい程度に光を拡散する表面を意味する。
表示装置技術において典型的に使用されるマット表面は、沢山の穴（ｐｉｔ）および隆起部（ｂｕｍｐ）からなる光学的に粗いすなわち不規則な表面を有している。この不規則な表面と、表面材料と周囲の空気との間の異なった屈折指標（ｒｅｆｒａｃｔｉｖｅ ｉｎｄｅｘ）との組み合わされた影響は、反射された光および伝達された光の両方を散乱するかまたは拡散されるようにする。
【００２４】
幾つかの実施例において、マット表面は、偏向器フィルムに形成されている。特に、偏向フィルムは、偏向層を包み込む保護透明層から形成されている。
１つの実施例によれば、光学的に滑らかな表面を有する前部スクリーンを提供するためにマット表面を変更するステップは、少なくとも部分的に透明コーティングをマット表面に施すことを含んでいる。好ましくは、コーティングは、流動可能な物質として施され、ついで光学的に平坦な外表面を形成するために硬化される。
【００２５】
好ましくは、コーティングは、マット表面が有する材料と実質的に同一の屈折指標を有する材料である。
好ましくは、コーティングは、光学的に実質的平坦な外表面を形成するために十分な厚さになるように、マット表面のあらゆる光学的不規則性、ゆがみ、突出、または不連続な上部、周り、および／または、内部を流れる。
コーティングは、塗装、噴霧、スパッタリング、蒸着、スラリーコーティング、化学沈着、スクリーン印刷、あるいはローラーコーティングを含む種々の方法によって施される。
【００２６】
本発明のこれに替わる実施例において、光学的に滑らかな表面を有する前部スクリーンを提供するためにマット表面を変更するステップは、フィルムとマット表面との間に透明接着剤を介挿することによって、マット表面に光学的に滑らかな透明フィルムを取着することを含んでいる。
好ましくは、接着剤は、最初にフィルムの下方の表面に施されるけれども、これに替えて接着剤は、フィルムから独立してマット表面に施されてもよい。
【００２７】
好ましくは、前記接着剤とフィルムとは、マット表面が有する材料と実質的に同一の屈折指標を有する材料である。
好ましくは、接着剤は、光学的に実質的に平坦な外表面を形成するために十分な厚さになるように、マット表面のあらゆる光学的不規則性、ゆがみ、突出、またはまたは不連続な上部、周り、および／または、内部を流れることが可能である。
本発明のさらなる態様によれば、光学的に滑らかな表面を有する前部スクリーンを提供するためにマット表面を変更するステップは、マット表面を有する材料を取り除き、光学的に滑らかな表面を有する材料と置き換えることを含んでいる。
用語のフィルムは、上記で述べたような機能を達成するどのような層または材料をも意味することを理解してほしい。
【００２８】
好ましくは、光学的に滑らかな表面を有する材料は偏向器フィルムであり、好ましくは、偏向層を包み込む保護透明層から形成されている。
本発明のさらなる態様によれば、上記で述べたいずれか１つの方法によって製造された表示装置を提供する。
したがって、上記で述べられた全ての実施例における光学的に滑らかな表面を有する前部スクリーンを提供するためにマット表面を替えるステップを達成することによって、表示装置技術（この例においてはＬＣＤスクリーン）を通して伝達されそれから反映された両方の光の散乱または拡散のあらゆる影響は、実質的に改善されることが発見されてきた。
【００２９】
本発明によって変換されたスクリーンは、先に述べた三次元技術を使用され、後部スクリーン上に観察されるイメージにおける高度に改良された明瞭さが達成される。
前部スクリーンのマット表面を光学的に滑らかな表面に変えるための上記のステップのいずれの応用も、二重屈折フィルムの操作といずれにしても干渉せず、観察者に識別可能な目視可能な色パッチ、および／または、モアレ干渉が全くない。
本発明はまた、広い角度の視界を有する改良された明瞭さを備えたイメージの創造を含むが、高価な特別注文スクリーンの製造の必要性なしで多くの利点を有している。
【００３０】
本発明は、後部スクリーンの直ぐ前において達成されるべき後部スクリーンのイメージの必要な全ての拡散を可能にし、そのようにして、与えられた量の拡散用に、観察者から可能な限り離れた拡散または散乱要素によって最大の視野角を与える。
本発明のさらなる態様は、例示のみによって与えられ、添付した図面を参照する以下の記述から明らかになる。
【００３１】
本発明を実行するための最良のモード
図１〜３は、本発明の好ましい実施例を示していて、バックライト（４）を備えた後部表示スクリーン（３）と平行であるが離間された前部ＬＣＤスクリーン（２）の形状の複数の透明なイメージスクリーンからなる二重（ｄｕａｌ）スクリーン表示装置（１）が装着されている。
【００３２】
ＬＣＤスクリーンを適切に配置するためにこれに代わるあらゆる技法が使用できることはこの分野の当業者にとって明らかである。さらに、図１は、明瞭さと便宜さのために後部スクリーン（３）の前の単一のスクリーン（２）を示しているけれども、付加的な（少なくとも部分的に透明な）イメージスクリーン（２）をいくつでも組み込むことができる。後部スクリーン（３）はまた、ＬＣＤスクリーンでもよく、これに替えて非透明な表示装置技法が採用できることが明らかである。
そのような表示装置は、観察者によって観られるシーンの三次元特性を提供し、これは、本件出願人の出願中のＰＣＴ出願第ＰＣＴ／ＮＺ９８／０００９８およびＰＣＴ／ＮＺ９９／０００２１に述べられていて、これらはここで参照して取り込まれる。
【００３３】
上記で議論したように、沢山の実用的考慮は、ディフューザー（ｄｉｆｆｕｓｅｒ）、光学リターダー（ｏｐｔｉｃａｌ ｒｅｔａｒｄｅｒ）、および他の光学材料、および／または、材料仕上げを含む多くの方法で処理されるモアレ干渉効果、色縁（ｃｏｌｏｕｒｅｄ ｆｒｉｎｇｅ）、および、交差偏向器（ｃｒｏｓｓｅｄ−ｐｏｌａｒｉｓｅｒ）の減少または省略を含むこのタイプの機能的表示装置を製造するために、克服されることが必要である。
このように、本発明の明瞭化と理解のために、表示装置（１）、および、関連する表示装置スクリーン（２、３）とは、図面に概略的に簡単に示されていて、本発明を示すのに本質的でない部材は、理解のために図面から除外されている。
【００３４】
視覚カラー変態（ｖｉｓｕａｌ ｃｏｌｏｕｒ ａｎｏｍａｌｙ）および後部スクリーンの観察者のトレサリーの直感は、フィルムの一方の側へエッチングされた光学的拡散マット（ｄｉｆｆｕｓｉｖｅ ｍａｔｔ）を有する二重屈折（ｂｉ−ｒｅｆｒｉｎｇｅｎｔ）フィルムによって修復されるけれども、この構造から更なる困難が起きる。
二重屈折フィルムの本質的な拡散特性により、後部ＬＣＤスクリーン（２）上のイメージのわずかな不鮮明さ（ｂｌｕｒ）は、モアレ干渉パターンを見えなくするかごくわずかにする。しかしながら、更なる拡散または不鮮明さは、観察者によって知覚されたイメージを明瞭にするには有害である。
【００３５】
後部ＬＣＤスクリーン（２）の不鮮明さは、現在の製造技術によって、および、ＬＣＤ製造によって採用されている慣例によって合成される。
現在、ＬＣＤスクリーン製造者のほとんど全ては、グレアを減少するために企図された一方の側または両側にマット表面を有するスクリーンを製造する。しかしながら、前部表面、および／または、後部表面に適用されたこのマット表面は、結果としての表示装置（１）のイメージを汚しそれゆえ劣化する出願人の表示装置技術を有して使用された場合、後部スクリーン（３）によって省略された光の拡散を増加する。本発明は、光学的に平滑な表面を有する前部スクリーンを提供するためにマット表面を替えることによってこの問題を処理する。
【００３６】
出願人は、この効果を達成するために多くの方法を調査した。出願人は最初に、研磨によってスクリーンの表面を滑らかにすることを試みたけれども、不幸にして、これは、スクリーン（２、３）が作られている材料の硬さゆえに実用的でないことであることが分かった。
【００３７】
図１は、第１の実施例を示していて、前部スクリーン（２）の前部位置（６）は、本発明の理解のために誇張された比例を有して表わされたマット表面（７）を有して形成されている。図示された実施例において、前部スクリーン（２）の前部位置（６）は、保護ラミネート（９）内に取り囲まれた偏向器（８）を備えている。
【００３８】
本発明の１つの態様によれば、マット表面（７）に少なくとも部分的に透明コーティング（１０）を施すことによって光学的に滑らかな表面に、前部スクリーン（２）のマット表面（７）に替わる方法を提供する。
出願人はついで、スクリーンへの種々の流動可能な物質の応用を考察した。試験された全てのオイル基物質（例えば、シリコングリス）は、光学的要求を備えているけれども、これらは、スクリーンから容易にこすり落とされるので実用的ではない。
【００３９】
マット表面（７）が光学的不規則性、ゆがみ、突出（ｐｒｏｔｒｕｓｉｏｎ）、または不連続性からなるので、コーティング（１０）は、これらの不規則性を補うために、実質的に光学的に平坦な外表面（１１）を形成するのに十分な深さまで、流動可能な形態で適用される。
したがって、コーティング（１０）は、塗装、噴霧、スパッタリング、蒸着、スラリーコーティング、化学沈着、スクリーン印刷、あるいはローラーコーティングを含むような種々の方法によって適用される。
【００４０】
出願人は、必要なコーティングは好ましくは、以下の特性を有していると決定した。
・いかなる空所（ｖｏｉｄ）または光学的ゆがみもないマット表面（７）の全ての表面の不規則性を補うことが可能である。
・マット表面を有する材料として実質的に同一の屈折指標（ｒｅｆｒａｃｔｉｖｅ ｉｎｄｅｘ）を処理する。
・容易に適用され、そこで弾力的仕上げのために硬化される。
・光学的に同質の仕上げを提供する。
・耐久可能であり、温度変化と応力に対する抵抗がある。
【００４１】
出願人は、これらの全ての要求を満足するある材料がラッカーまたは２ポット（ｔｗｏ−ｐｏｔ）エポキシ樹脂であることを発見した。多くのエポキシ樹脂が適切であるけれども、１つの例は、デュポンセンチュリ（Ｄｕ Ｐｏｎｔ Ｃｅｎｔｕｒｉ）６９０Ｓ２ＰＡＣハイビルドクリヤー（Ｈｉｇｈ Ｂｕｉｌｄ Ｃｌｅａｒ）の商品名で販売されている。
この材料は実用的によく作用するけれども、要求された特性を有する他の材料もまた使用できることを理解しなければならない。
【００４２】
図２は、光学的に滑らかな透明フィルム（１１）とフィルムとマット表面との間に介挿された透明接着剤（１２）によって、物理的および操作的な両方のコーティング（１０）が取り替えられたさらなる実施例を示している。
この第２の実施例は依然として、第１の実施例に与えられた上述した基準を要求される。したがって、接着剤（１２）とフィルム（１１）とは、マット表面（７）を有する材料（９）のような実質的に同一の屈折指標を備えた材料から形成されている。
好ましくは、接着剤は、光学的に実質的に平坦な外表面を形成するために十分な厚さになるように、マット表面のあらゆる光学的不規則性、ゆがみ、突出、またはまたは不連続性の上部、周り、および／または、内部に流れるのを可能にする。
【００４３】
よりさらなる実施例（図３に示されている）において、光学的に滑らかな表面を有する前部スクリーン（２）を提供するためにマット表面を交換するステップは、現在あるマット表面を有する材料を取り除き、そして、光学的に滑らかな表面を有する材料で取り替えることを含んでいる。偏向器（８）のマット表面（７）と、大容量ＬＣＤスクリーン製造者によって広く製造されたタイプの現存するＬＣＤスクリーン（図１と２に示されたような）の保護ラミネート（９）は、光学的に滑らかな（すなわちマットのない）外表面を有するＬＣＤスクリーン（２）によって置き換えられる。
【００４４】
図３に示された実施例において、光学的に滑らかな外表面は、偏向器（８）の保護コーティング（９）の表面によって形成される。このような操作は、比較的専門化され、相応的に高価な一団（ｃｏｍｐａｎｙ）によってのみ達成される。したがって、ＬＣＤスクリーンに達成されるべきさらなる操作（本発明に関連していない）が要求された場合、この技法は上述した第１または第２の実施例よりもよりわずかしか望ましくない。
【００４５】
本発明は、改良された表示装置技術を提供し、また、現存するスクリーンの変換方法、変換されたスクリーンそのもの、および変換されたスクリーンを結合する他の技術を包含する。
本発明の態様は、例示によってのみ述べられてきたが、本発明の目的から逸脱することなく、変更および追加がそれらになされることを理解してほしい。
【図面の簡単な説明】
【図１】本発明の第１の好ましい実施例による概略的断面図。
【図２】本発明の第２の好ましい実施例による概略的断面図。
【図３】本発明の第３の好ましい実施例による概略的断面図。
【図１】
2004514165.tif 000003
【図２】
2004514165.tif 000004
【図３】
2004514165.tif 000005
【国際公開パンフレット】
2004514165.tif 000006
2004514165.tif 000007
2004514165.tif 000008
2004514165.tif 000009
2004514165.tif 000010
2004514165.tif 000011
2004514165.tif 000012
2004514165.tif 000013
2004514165.tif 000014
2004514165.tif 000015
2004514165.tif 000016
2004514165.tif 000017
2004514165.tif 000018
2004514165.tif 000019
2004514165.tif 000020
2004514165.tif 000021
2004514165.tif 000022
2004514165.tif 000023
2004514165.tif 000024
2004514165.tif 000025
2004514165.tif 000026
2004514165.tif 000027
2004514165.tif 000028
【手続補正書】
【提出日】平成14年12月24日(2002.12.24)
【手続補正１】
【補正対象書類名】明細書
【補正対象項目名】特許請求の範囲
【補正方法】変更
【補正の内容】
【特許請求の範囲】
【請求項１】
２つまたはそれ以上の光学的重なりスクリーンを有して構成されたマルチフォーカルプレーン表示装置の前部スクリーンのマット表面を交換する方法であって、非拡散の光学的に滑らかな表面を有する前部スクリーンを提供するためにマット表面を変更するステップを備えたことを特徴とする方法。
【請求項２】
前記スクリーンの少なくとも１つは、ＬＣＤスクリーンである請求項１記載の方法。
【請求項３】
マット表面は、偏向器フィルムに形成されている請求項１記載の方法。
【請求項４】
偏向フィルムは、偏向層を包み込む保護透明層から形成されている請求項３記載の方法。
【請求項５】
非拡散の光学的に滑らかな表面を有する前部スクリーンを提供するためにマット表面を変更するステップは、少なくとも部分的に透明コーティングをマット表面に施すことを含んだ請求項１記載の方法。
【請求項６】
コーティングは、流動可能な物質として施され、ついで非拡散の光学的に平坦な外表面を形成するために硬化される請求項５記載の方法。
【請求項７】
コーティングは、マット表面が有する材料と実質的に同一の屈折指標を有する材料である請求項５記載の方法。
【請求項８】
コーティングは、非拡散の実質的に光学的に平坦な外表面を形成するために十分な厚さになるように、マット表面のあらゆる光学的不規則性、ゆがみ、突出、または不連続な上部、周り、および／または、内部を流れる請求項５記載の方法。
【請求項９】
コーティングは、塗装、噴霧、スパッタリング、蒸着、スラリーコーティング、化学沈着、スクリーン印刷、あるいはローラーコーティングを含むグループから選択された技術によって施される請求項５記載の方法。
【請求項１０】
光学的に滑らかな表面を有する前部スクリーンを提供するためにマット表面を変更するステップは、フィルムとマット表面との間に透明接着剤を介挿することによって、マット表面に非拡散の光学的に滑らかな透明フィルムを取着することを含む請求項１記載の方法。
【請求項１１】
接着剤は、最初にフィルムの下方の表面に施される請求項１０記載の方法。
【請求項１２】
接着剤は、フィルムから独立してマット表面に施される請求項１０記載の方法。
【請求項１３】
前記接着剤とフィルムとは、マット表面が有する材料と実質的に同一の屈折指標を有する材料である請求項１０記載の方法。
【請求項１４】
接着剤は、非拡散の実質的に光学的に平坦な外表面を形成するために十分な厚さになるように、マット表面のあらゆる光学的不規則性、ゆがみ、突出、またはまたは不連続な上部、周り、および／または、内部を流れることが可能である請求項１０記載の方法。
【請求項１５】
光学的に滑らかな表面を有する前部スクリーンを提供するためにマット表面を変更するステップは、マット表面を有する材料を取り除き、非拡散の光学的に滑らかな表面を有する材料と置き換えることを含む請求項１記載の方法。
【請求項１６】
上記請求項のいずれか１項によって製造された表示装置。
【請求項１７】
いずれかの図面に示されたものに関連して実質的に述べられたような方法。
【請求項１８】
いずれかの図面に示されたものに関連して実質的に述べられたような表示装置。
【国際調査報告】
2004514165.tif 000029
2004514165.tif 000030
2004514165.tif 000031